(57)【要約】      （修正有）【課題】  冷却効率の高いヒートシンク装置の提供。【解決手段】  ベース１０とフィン１１からなるヒートシンク装置１であり、該ベース１０に縦、横方向に貫通するチャネルが形成され、縦、横方向に貫通するチャネルの間が相互に連通して曲折チャネルが形成され、曲折チャネル内に密閉式回路が形成され、密閉式回路内に液体或いは気体状の冷却媒体が充填され、冷却媒体の量が曲折チャネル内容量の５０％〜９０％とされ、該フィン１１はベース１０の上方に設けられ、並びに発熱源のある空間により、異なった配列密度及び高さのフィン１１が形成される。【選択図】図１
2005236222.tif 000002
【特許請求の範囲】
【請求項１】
ベース（１０）とフィン（１１）からなるヒートシンク装置（１）であり、
該ベース（１０）に縦、横方向に貫通するチャネルが形成され、縦、横方向に貫通するチャネルの間が相互に連通して曲折チャネル（１０２）が形成され、曲折チャネル（１０２）内に密閉式回路（１００）が形成され、密閉式回路（１００）内に液体或いは気体状の冷却媒体（１０１）が充填され、冷却媒体（１０１）の量が曲折チャネル（１０２）内容量の５０％〜９０％とされ、
該フィン（１１）はベース（１０）の上方に設けられ、並びに発熱源のある空間により、異なった配列密度及び高さのフィン（１１）が形成されたことを特徴とする、ヒートシンク装置。
【請求項２】
請求項１記載のヒートシンク装置において、ベース（１０ｂ）の一側に出口接続端（  １０４ｂ）が設けられ、別側に入口接続端（１０５ｂ）が設けられて開放式回路（１００ｂ）が形成され、この開放式回路（１００ｂ）に冷熱交換循環システムが外接され、複数の開放式回路（１００ｂ）が直列に接続可能とされたことを特徴とする、ヒートシンク装置。
【発明の詳細な説明】
【技術分野】
【０００１】
本発明は一種のヒートシンク装置に関する。
【背景技術】
【０００２】
パーソナルコンピュータ或いはノートブック型コンピュータのヒートシンク装置は、ファンがヒートシンクに固定され、偏心の挟持具でヒートシンクがコンピュータの発熱体上に挟持され、挟持具は偏心状にコンピュータ発熱体に固定されるため、冷却時に、挟持具がゆがみを発生しやすく、ヒートシンクがコンピュータ発熱体と直接接触不能となり、コンピュータ発熱体の熱気が接触面に集中しがちである。また、ファンの発生する気流が集中して送られず、且つヒートシンクが単純な金属熱伝導の原理により冷却を行なうものとされ、接触面を通してコンピュータ発熱体の発生する熱をヒートシンク装置のベースに伝え、ベースよりヒートシンクに伝えられ、さらにファンの起こす気流により熱量を奪い去る。このような方式のヒートシンク装置の冷却効率はヒートシンク装置の金属材料の熱伝導能力に決定され、固体の熱伝導能力は有限であるため、周知のヒートシンク装置の冷却効果は相当に有限である。
【発明の開示】
【発明が解決しようとする課題】
【０００３】
本発明は周知のヒートシンク装置の欠点を鑑み、内部に液体或いは気体状の冷却媒体を充填した閉じた空腔構造を採用し、もとの金属熱伝導を利用した冷却方式を保留しつつ、媒体の対流熱伝導の冷却方式を加え、冷却効果を高めるものである。
即ち、本発明は上述の周知のヒートシンク装置が冷却効果を十分に発揮できない点を改良し、一種の冷却効果を高めたヒートシンク装置を提供することを目的とする。本発明のヒートシンク装置の底端はベースとされ、ベース内部に曲折チャネルの密閉式回路が設けられ、この密閉式回路内に液体或いは気体状の冷却媒体が充填され、この冷却媒体の量が曲折チャネル内容量の５０％〜９０％とされて、それが熱気をベースの吸熱端に集中させ、さらに放熱部であるフィンに伝え、ファンにより熱気を排出し、冷却効果を達成する。
【課題を解決するための手段】
【０００４】
請求項１の発明は、ベース（１０）とフィン（１１）からなるヒートシンク装置（１）であり、
該ベース（１０）に縦、横方向に貫通するチャネルが形成され、縦、横方向に貫通するチャネルの間が相互に連通し、曲折チャネル（１０２）が形成され、該曲折チャネル（１０２）内に密閉式回路（１００）が形成され、密閉式回路（１００）内に液体或いは気体状の冷却媒体（１０１）が充填され、冷却媒体（１０１）の量が曲折チャネル（１０２）内容量の５０％〜９０％とされ、
該フィン（１１）はベース（１０）の上方に設けられ、並びに発熱源のある空間により、異なった配列密度及び高さのフィン（１１）が形成されたことを特徴とする、ヒートシンク装置としている。
請求項２の発明は、請求項１記載のヒートシンク装置において、ベース（１０ｂ）の一側に出口接続端（  １０４ｂ）が設けられ、別側に入口接続端（１０５ｂ）が設けられて開放式回路（１００ｂ）が形成され、この開放式回路（１００ｂ）に冷熱交換循環システムが外接され、複数の開放式回路（１００ｂ）が直列に接続可能とされたことを特徴とする、ヒートシンク装置としている。
【発明の効果】
【０００５】
本発明のヒートシンク装置の底端はベースとされ、ベース内部に曲折チャネルを具えた密閉式回路が設けられ、この密閉式回路内に液体或いは気体状の冷却媒体が充填され、この冷却媒体の量が曲折チャネル内容量の５０％〜９０％とされる。ベースがコンピュータ発熱体の接触面に貼り付けられる時、熱気をベースの吸熱端に集中させ、さらにフィンに伝えてファンで熱気を排出し、冷却効率を高める。
本発明は以下のような優れた点を有している。
１．本発明はヒートシンク装置底端のベース内部に曲折チャネルを具えた密閉式回路が設けられ、密閉式回路内に液体或いは気体状の冷却媒体が充填され、金属熱伝導の冷却方式を保留すると共に、媒体対流の熱伝導方式を増すことにより、冷却効率を高めている。
２．本発明のヒートシンク装置は、内部に密閉式回路を具えたアルミ製ヒートシンク装置であり、発熱体の接触面の熱気をベースの吸熱端に集中させ、さらにフィンに伝えてファンで熱気を排出することで、冷却効果を高めている。
３．本発明のヒートシンク装置は発熱体の接触面に貼り付けられ、ヒートシンク装置の底端のベースの吸熱端が熱気を集中させ、さらにフィンに伝えてファンで熱気を排出し、その接触面積は平均し、伝導係数は良好で、冷却効果を高めている。
【発明を実施するための最良の形態】
【０００６】
図１、２に示されるように、本発明のヒートシンク装置（１）は、ベース（１０）とフィン（１１）を具え、それはパーソナルコンピュータ或いはノートブック型コンピュータ及びその周辺設備の冷却装置として応用される。
上述のベース（１０）はコンピュータ発熱体と接触し、ベース（１０）により吸熱し、該ベース（１０）内に縦横に貫通し相互に連通するチャネルが設けられて曲折チャネル（１０２）を具えた密閉式回路（１００）が形成され、該密閉式回路（１００）内に液体或いは気体状の冷却媒体（１０１）が充填され、その冷却媒体（１０１）の量は曲折チャネル（１０２）の内容量の５０％〜９０％とされる（図３の矢印参照）。
該フィン（１１）はベース（１０）の上方に設けられ、ベース（１０）の吸熱端より該フィン（１１）に熱が伝えられ、ファンにより熱が排出される。
図３に示されるように、曲折チャネル（１０２）の各出口は軟性体（１０３）で封じられ、これにより曲折チャネル（１０２）内部に密閉式回路（１００）が形成され、さらにその内部に液体或いは気体状の冷却媒体（１０１）が充填される。この冷却媒体（１０１）の充填量は曲折チャネル（１０２）の内容量の５０％〜９０％とされる。ベース（１０）がコンピュータ発熱体の接触面に貼り付けられる時、ベース（１０）内部の冷却媒体（１０１）がコンピュータ発熱体の熱気をベース（１０）の吸熱端に集中させ、熱はさらにフィン（１１）に伝えられ、ファンの送風により排出される。こうして最良の冷却効果を達成できる。
図４に示される実施例は図１の実施例とほぼ同じであるが、異なるところはヒートシンク装置（１）のベース（１０ａ）が図示されるように加工され、往復式チャネル（１０２ａ）の出口部分が軟性体（１０３ａ）で塞がれて、密閉式回路（１００ａ）が形成され、その内部に液体或いは気体状の冷却媒体（１０１）が充填され、この冷却媒体（１０１）の充填量は往復式チャネル（１０２ａ）の５０％〜９０％とされる。ベース（１０ａ）がコンピュータ発熱体の接触面に貼り付けられる時、ベース（１０ａ）内部の冷却媒体（１０１ａ）がコンピュータ発熱体の熱気をベース（１０ａ）の吸熱端に集中させ、熱はさらにベース（１０ａ）上方のフィン（１１）に伝えられ、ファンの送風により排出される。こうして最良の冷却効果を達成できる。
図５に示される実施例は、図１の実施例とほぼ同じであるが、異なるところは、本実施例ではベース（１０ｂ）の内部の加工後にその出口部分が軟性体（１０３ｂ）で塞がれた曲折チャネル（１０２ｂ）の開放式回路（１００ｂ）が形成され、このベース（１０ｂ）の一側に出口接続端（１０４ｂ）、別側が入口接続端（１０５ｂ）が設けられて循環システムが形成され、ベース（１０ｂ）がコンピュータ発熱体の接触面に貼り付けられる時、ベース（１０ｂ）内部の冷却媒体（１０１ｂ）がコンピュータ発熱体の熱気をベース（１０ｂ）の吸熱端に集中させ、開放式回路（１００ｂ）の外接冷熱交換方式に加え、熱がさらにベース（１０ｂ）上方のフィン（１１）に伝えられ、ファンの送風により排出されて、完全な冷却を達成する。また、外接冷熱交換方式の開放式回路（１００ｂ）が設けられた上述のベース（１０ｂ）はその放置される発熱源部分の空間により、二つ或いはそれ以上が直列に接続されうる（図６）。
図７に示される実施例は図５の実施例とほぼ同じであるが、異なるところは、本実施例ではベース（１０ｃ）の内部に往復式回路（１００ｃ）が設けられ、この往復式回路（１００ｃ）が外接冷熱交換方式に供され、さらにその上方のフィンを介してファンを利用して熱気が排出される。
図８に示される実施例は図１の実施例とほぼ同じであるが、異なるところは、本実施例ではヒートシンク装置（１ｄ）がその置かれる発熱源空間に応じて図１と同じ高さのベース（１０ｄ）と、その上方の図１の実施例とは異なる配列密度及び高さのフィン（１１ｄ）を具えている。
【図面の簡単な説明】
【０００７】
【図１】本発明の第１実施例の立体図である。
【図２】図１の正面図である。
【図３】図１の冷却媒体循環冷却表示図である。
【図４】本発明の第２実施例の冷却媒体循環冷却表示図である。
【図５】本発明の第３実施例の冷却媒体循環冷却表示図である。
【図６】図５を直列に接続した表示図である。
【図７】本発明の第４実施例の冷却媒体循環冷却表示図である。
【図８】本発明の第５実施例の立体図である。
【符号の説明】
【０００８】
１、１ｄ  ヒートシンク装置
１０、１０ａ、１０ｂ、１０ｃ、１０ｄ  ベース
１００、１００ａ  密閉式回路
１００ｂ  開放式回路
１００ｃ  往復式回路
１０１  冷却媒体
１０２、１０２ｂ  曲折チャネル
１０２ａ  往復式チャネル
１０３、１０３ａ、１０３ｂ  軟性体
１０４ｂ  出口接続端
１０５ｂ  入口接続端
１１、１１ｄ  フィン
【図１】
2005236222.tif 000003
【図２】
2005236222.tif 000004
【図３】
2005236222.tif 000005
【図４】
2005236222.tif 000006
【図５】
2005236222.tif 000007
【図６】
2005236222.tif 000008
【図７】
2005236222.tif 000009
【図８】
2005236222.tif 000010